【事件の表示】
　特願２００９−２３１１４７「通信端末およびその表示方法」拒絶査定不服審判事件〔平成２２年　１月　７日出願公開、特開２０１０−　　４５７３〕について、次のとおり審決する。
【結　論】
　本件審判の請求は、成り立たない。
【理　由】
１．経緯
　本件出願は、平成１７年１１月２９日に出願した特願２００５−３４４２９６号の一部を平成２１年１０月５日付けで新たな特許出願としたものであって、平成２４年１月３１日付けで拒絶の理由が通知され、平成２４年４月９日付けで意見書・手続補正書が提出され、平成２４年５月８日付けで拒絶査定がなされたものである。
　本件は、上記拒絶査定を不服として平成２４年８月１０日付けで請求された拒絶査定不服審判であって、同日付けで手続補正書が提出され、平成２５年５月２１日付けで当審にて拒絶の理由が通知され、平成２５年７月２９日付けで意見書・手続補正書が提出されたものである。
　
２．本願発明
　本件出願の請求項１ないし２３に係る発明は、平成２５年７月２９日付けで補正された特許請求の範囲の請求項１ないし２３に記載されたとおりのものであり、そのうち、請求項１に係る発明（以下、本願発明という。）は、次のとおりである。
　
［本願発明］（請求項１）
　受信した撮影画像、音声を再生する通信端末であって、
　制御手段と、
　表示手段と、
　を含み、
　前記制御手段は、前記撮影画像の一部分に対する指示の情報を受信すると、前記表示手段に、前記撮影画像に加えて当該撮影画像の一部分に対する指示の情報に基づく画像を表示する
ことを特徴とする通信端末。
　
３．刊行物の記載事項
　これに対して、当審の拒絶の理由で引用された特開２００５−３２８４８４号公報（当審の拒絶の理由における引用文献２。以下、刊行物１という。）には、図面と共に以下の記載がある。
　
「【００２２】
（１）本実施の形態によるテレビ会議システムの構成
　図１において、１は全体として本実施の形態によるテレビ会議システムを示し、それぞれ異なる地点に設置された複数のテレビ会議端末２（２Ａ、２Ｂ）と、テレビ会議サーバ３とが例えばインターネット回線等のネットワークＮＴを介して相互に接続されることにより構成される。
【００２３】
　この場合、各テレビ会議端末２には、図２に示すように、それぞれ例えばＣＣＤ（Charge Coupled Device）からなるカメラ部４と、マイクロホン５と、マウス等からなるポインティングデバイス６とが設けられている。
【００２４】
　そしてカメラ部４は、そのテレビ会議端末２を使用するユーザ７（７Ａ、７Ｂ）を撮像し、かくして得られた映像信号Ｓ１を映像処理部８に送出する。また映像処理部８は、供給される映像信号Ｓ１に対して例えばアナログ／ディジタル変換処理等の所定の信号処理を施し、得られた映像データＤ１を映像圧縮部９に送出する。さらに映像圧縮部９は、供給される映像データＤ１に対して、例えば国際電気通信連合ＩＴＵ（International Telecommunication Union）によって標準化されたH.323等の所定規格に従った所定の圧縮方式で圧縮処理を施し、得られた圧縮映像データＤ２をパケタイズ部１０に送出する。
【００２５】
　またマイクロホン５は、ユーザ７の発言時の音声を集音し、得られた音声信号Ｓ２を入力音声処理部１１に送出する。また入力音声処理部１１は、供給される音声信号Ｓ２に対して例えばアナログ／ディジタル変換処理等の所定の信号処理を施し、得られた音声データＤ３を音声圧縮部１２に送出する。さらに音声圧縮部１２は、供給される音声データＤ３に対して上述と同様のH.323等の所定の規格に準拠した圧縮方式の圧縮処理を施し、得られた圧縮音声データＤ４をパケタイズ部１０に送出する。
【００２６】
　さらにポインティングデバイス６は、ユーザ操作の内容を表す操作情報信号Ｓ３を状況判断部１３に送出する一方、状況判断部１３は、この操作情報信号Ｓ３に基づき判断される、現在のカーソルの位置等の状況判断情報を状況判断データＤ５としてパケタイズ部１０に送出する。
【００２７】
　パケタイズ部１０は、映像圧縮部９から供給される圧縮映像データＤ２、音声圧縮部１２から供給される圧縮音声データＤ４及び状況判断部１３から供給される操作データＤ５を所定フォーマットでパケット化し、得られたパケットデータＤ６をネットワーク制御部１４に送出する。
【００２８】
　そしてネットワーク制御部１４は、供給されるパケットデータＤ６に対して中間周波数変調等の所定の変調処理を施し、かくして得られた送信信号Ｓ４をネットワークＮＴを介してテレビ会議サーバ３に送信する。
【００２９】
　テレビ会議サーバ３においては、図３に示すような構成を有し、各テレビ会議端末２からそれぞれ送信される送信信号Ｓ４をネットワーク制御部１６において受信する。そしてネットワーク制御部１６は、これら各テレビ会議端末２からの送信信号Ｓ４に対して検波処理等の所定の復調処理をそれぞれ施し、得られたパケットデータＤ７をデパケタイズ部１６に送出する。
【００３０】
　デパケタイズ部１６は、供給されるパケットデータＤ７からパケットに含まれる圧縮映像データＤ８、圧縮音声データＤ９及び操作データＤ１０を抽出し、圧縮映像データＤ８を映像伸張部１７に送出すると共に、圧縮音声データＤ９を音声伸張部１８に送出し、状況判断データＤ１０を状況判断制御部１９に送出する。
【００３１】
　そして映像伸張部１７は、供給される圧縮映像データＤ８に対して対応する復号化方式による伸張処理を施し、得られたベースバンドの映像データＤ１１を映像合成部２０に送出する。
【００３２】
　このときテレビ会議サーバ３には、テレビ会議端末２と同様に、ＣＣＤカメラ等でなるカメラ部２１と、マイクロホン２２と、マウス等からなるポインティングデバイス２３とが設けられている。
【００３３】
　そしてカメラ部２１は、このテレビ会議サーバ３を使用するユーザ７（７Ｃ）を撮像することにより得られた映像信号Ｓ５を映像処理部２５に送出する。また映像処理部２５は、供給される映像信号Ｓ５に対して例えばアナログ／ディジタル変換処理等の所定の信号処理を施し、得られた映像データＤ１２を映像合成部２０に送出する。
【００３４】
　またポインティングデバイス２３は、ユーザ操作の内容を表す操作情報信号Ｓ６を状況判断制御部１９に送出する。そして状況判断制御部１９は、この操作情報信号Ｓ６と、各テレビ会議端末２から送信される状況判断データＤ１０とに基づいて、各テレビ会議端末２及びテレビ会議サーバ３にそれぞれ対応させて、そのテレビ会議端末２又はテレビ会議サーバ３の各ポインティングデバイス６及び２３の操作に応動して移動する各カーソルの画像データ（以下、これをカーソル画像データと呼ぶ）Ｄ１３を生成し、これを映像合成部２０に送出する。
【００３５】
　さらにテレビ会議サーバ３には、予めテレビ会議端末２から送信され又は当該テレビ会議サーバ３のユーザ７Ｃにより入力されたドキュメントの画像データが格納されたドキュメント格納部２６が設けられている。そして状況判断制御部１９は、当該テレビ会議サーバ３のポインティングデバイス２３から供給される操作情報信号Ｓ６及び各テレビ会議端末２から送信される状況判断データＤ１０に基づいて、ドキュメント格納部２６に格納されたドキュメントの表示命令が与えられたときには、ドキュメント格納部２６を制御してそのドキュメントのデータを読み出させる。そしてこのドキュメントのドキュメントデータＤ１４が映像合成部２０に与えられる。
【００３６】
　映像合成部２０は、状況判断制御部１９の制御のもとに、これら映像伸張部１７から供給される各テレビ会議端末２からの映像データＤ１１に基づく各ユーザ映像２７（２７Ａ、２７Ｂ）と、映像処理部２６から供給される映像データＤ１２に基づくユーザ映像２７（２７Ｃ）と、状況判断制御部１９から供給されるカーソル画像データＤ１３に基づくカーソル画像２９（２９Ａ〜２９Ｃ）と、ドキュメント格納部２６から供給されるドキュメントデータＤ１４に基づくドキュメント画像３１とを合成した例えば図４に示すような合成映像３２を生成し、その映像データでなる合成映像データＤ１５を表示処理部３３及び映像圧縮部３４に送出する。
【００３７】
　そして表示処理部３３は、この合成映像データＤ１５に対してディジタル／アナログ変換処理等の所定の信号処理を施し、得られた映像信号Ｓ７を例えばＣＲＴ（Cathode-Ray Tube）等でなるディスプレイ３５に送出する。これによりこの映像信号Ｓ７に基づく上述のような合成画像３２がディスプレイ３５に表示される。
【００３８】
　また映像圧縮部３４は、映像合成部２０から供給される合成映像データＤ１５に対して所定の圧縮処理を施し、得られた圧縮合成映像データＤ１６をパケタイズ部３６に送出する。
【００３９】
　一方、音声伸張部１８は、デパケタイズ部１６から供給される圧縮音声データＤ９に対して対応する復号化方式での復号化処理を施し、得られたベースバンドの音声データＤ１７を音声合成部３７に送出する。
【００４０】
　このとき音声合成部３６には、このテレビ会議サーバ３のマイクロホン２２から出力された音声信号Ｓ８を、音声処理部３８においてアナログ／ディジタル変換等の所定の信号処理を施すことにより得られたベースバンドの音声データＤ１８が与えられる。
【００４１】
　かくして音声合成部３７は、これら音声伸張部１８から供給される各テレビ会議端末２（２Ａ及び２Ｂ）からの音声データＤ１７に基づく各音声と、音声処理部３８から供給される音声データＤ１８に基づく音声とを合成した合成音声を生成し、その音声データでなる合成音声データＤ１９を出力音声処理部３９及び音声圧縮部４０に送出する。
【００４２】
　そして出力音声処理部３９は、この合成音声データＤ１９に対してディジタル／アナログ変換処理等の所定の信号処理を施し、得られた音声信号Ｓ９をスピーカ４１に出力する。これによりこの音声信号Ｓ９に基づく上述のような合成音声がスピーカ４１から出力される。
【００４３】
　また音声圧縮部４０は、音声合成部３７から供給される合成音声データＤ１９に対して
所定の圧縮処理を施し、得られた圧縮合成音声データＤ２０をパケタイズ部３６に送出する。
【００４４】
　パケタイズ部３６は、映像圧縮部３４から供給される圧縮合成映像データＤ１６及び音声圧縮部４０から供給される圧縮合成音声データＤ２０を所定フォーマットでパケット化し、得られたパケットデータＤ２１をネットワーク制御部１５に送出する。
【００４５】
　そしてネットワーク制御部１５は、供給されるパケットデータＤ２１に対して中間周波数変調等の所定の変調処理を施し、かくして得られた送信信号Ｓ１０をネットワークＮＴを介して各テレビ会議端末２にそれぞれ送信する。
【００４６】
　各テレビ会議端末２においては、テレビ会議サーバ３から送信される送信信号Ｓ１０をネットワーク制御部１４において受信する。そしてネットワーク制御部１４は、このテレビ会議サーバ３からの送信信号Ｓ１０に対して検波処理等の所定の復調処理をそれぞれ施し、得られたパケットデータＤ２２をデパケタイズ部４２に送出する。
【００４７】
　デパケタイズ部４２は、供給されるパケットデータＤ２２からパケットに含まれる圧縮合成映像データＤ２３及び圧縮合成音声データＤ２４を抽出し、圧縮合成映像データＤ２３を映像伸張部４３に送出すると共に、圧縮合成音声データＤ２４を音声伸張部４４に送出する。
【００４８】
　そして映像伸張部４３は、供給される圧縮合成映像データＤ２３に対して対応する復号化方式での伸張処理を施し、得られたベースバンドの合成映像データＤ２５を表示処理部４５に送出する。また表示処理部４５は、この合成映像データＤ２５に対してディジタル／アナログ変換処理等の所定の信号処理を施し、得られた映像信号Ｓ１１をＣＲＴ等でなるディスプレイ４６送出する。これによりこの映像信号Ｓ１１に基づく上述の合成画像３２（図４）がディスプレイ４６に表示される。
【００４９】
　さらに音声伸張部４４は、供給される圧縮合成音声データＤ２４に対して対応する復号化方式での伸張処理を施し、得られたベースバンドの合成映像データＤ２６を出力音声処理部４７に送出する。また出力音声処理部４７は、この合成音声データＤ２６に対してディジタル／アナログ変換処理等の所定の信号処理を施し、得られた音声信号Ｓ１２をスピーカ４８に送出する。これによりこの音声信号Ｓ１２に基づく上述の合成音声がスピーカ４８から出力される。
【００５０】
　このようにしてこのテレビ会議システム１においては、各テレビ会議端末２のカメラ部４及びテレビ会議サーバ３のカメラ部２１によってそれぞれ撮像された各ユーザ７の各ユーザ映像２７、カーソル画像２９及びドキュメント画像３１を合成してなる合成映像３２を各テレビ会議端末２の各ディスプレイ４６及びテレビ会議サーバ３のディスプレイ３５にそれぞれ表示させると共に、各テレビ会議端末２の各マイクロホン５及びテレビ会議サーバ３のマイクロホン２２によってそれぞれ集音された各ユーザ７の音声を合成してなる合成音声を各テレビ会議端末２の各スピーカ４８及びテレビ会議サーバ３のスピーカ４１からそれぞれ出力させることができるようになされている。
【００５１】
（２）テレビ会議システム１に搭載された各種機能
　次に、このテレビ会議システム１に搭載された各種機能について説明する。
【００５２】
（２−１）ドキュメント操作時等の表示制御機能
　このテレビ会議システム１には、各テレビ会議端末２又はテレビ会議サーバ３の各ポインティングデバイス６又は２３の操作に応じて、そのとき各ディスプレイ３５及び４６に表示されている合成映像３２内のドキュメント画像３１の表示位置及び又はその大きさや、各ユーザ７の各ユーザ映像２７の表示位置及び又はその大きさを変化させるドキュメント操作時等の表示制御機能が搭載されている。
【００５３】
　実際上、テレビ会議サーバ３の状況判断制御部１９は、かかるドキュメント操作時等の表示制御機能を実現するための手段として、図５に示すように、そのとき表示されているドキュメント及び現在そのドキュメントを操作しているユーザ７を管理するための付加情報テーブル４９を有している。
【００５４】
　そして状況判断制御部１９は、テレビ会議サーバ３のポインティングデバイス２３から供給される操作入力信号Ｓ６と、各テレビ会議端末２からそれぞれ送信される状況判断データＤ１０とに基づいて、いずれかのテレビ会議端末２又はテレビ会議サーバ３のポインティングデバイス６又は２３が操作されて、ドキュメント格納部２６に格納されたドキュメントデータＤ１４に基づくドキュメント画像３１を表示し、若しくは現在表示しているドキュメント画像３１を他のドキュメント画像３１に変更し、又は現在表示しているドキュメント画像３１の次ページを表示等すべき旨の命令が入力されたことを認識すると、そのドキュメントデータＤ１４のファイル名を付加情報テーブル４９の表示ドキュメント管理欄４９Ａに格納すると共に、その操作を行ったユーザ７が使用しているテレビ会議端末２又はテレビ会議サーバ３のＩＤ（以下、これを端末・サーバＩＤと呼ぶ）を付加情報テーブル４９のドキュメント操作ユーザ管理欄４９Ｂに格納する。
【００５５】
　また状況判断制御部１９は、この付加情報テーブル４９に基づいてドキュメント格納部２６を制御することにより、当該ドキュメント格納部２６に格納されている指定されたドキュメントデータＤ１４を読み出させて、これを映像合成部２０に送出させる。
【００５６】
　さらに状況判断制御部１９は、これと併せて付加情報テーブル４９に基づいて映像合成部２０を制御することにより、図６に示すように、ドキュメント格納部２６から供給されるドキュメントデータＤ１４に基づくドキュメント画像３１を画面の中央部に拡大表示させると共に、その操作が行われたテレビ会議端末２又はテレビ会議サーバ３から送信される映像データＤ１１又はＤ１２に基づくユーザ７のユーザ映像２７を画面左下に拡大表示し、かつ他のテレビ会議端末２又はテレビ会議サーバ３から送信される映像データＤ１１又はＤ１２に基づくユーザ７のユーザ映像２７が画面右側に拡大していない、うなずき等が認識できる程度の所定の大きさで表示されてなる合成映像３２の合成映像データＤ１５を生成させる。
【００５７】
　そして映像合成部２０は、このように生成した合成映像データＤ１５を表示処理部３３及び映像圧縮部３４にそれぞれ送出する。これによりこの図６のような合成映像３２がテレビ会議サーバ３のディスプレイ３５及び各テレビ会議端末２のディスプレイ４６にそれぞれ表示されることとなる。
【００５８】
　一方、状況判断制御部１９は、このように合成映像３２内にドキュメント画像３１を表示させたときは、当該テレビ会議サーバ３のポインティングデバイス２３から供給される操作入力信号Ｓ６と、各テレビ会議端末２から送信される状況判断データＤ１０とに基づいて、テレビ会議サーバ３のポインティングデバイス２３及び各テレビ会議端末２のポインティングデバイス６とそれぞれ対応付けられた各カーソル画像２９の位置を監視する。
【００５９】
　そして状況判断制御部１９は、それまでカーソル操作が行われていたテレビ会議端末２又はテレビ会議サーバ３と異なるテレビ会議端末２又はテレビ会議サーバ３と対応付けられた各カーソル画像２９がドキュメント上で１〜２秒以上移動するようなカーソル操作が行われたときには、付加情報管理テーブル４９のドキュメント操作ユーザ欄４９Ｂに格納されている端末・サーバＩＤを、その新たなテレビ会議端末２又はテレビ会議サーバ３の端末・サーバＩＤに書き換える。
【００６０】
　また状況判断制御部１９は、この後この付加情報テーブル４９に基づいて映像合成部２０を制御することにより、図７に示すように、それまでカーソル操作が行われていたテレビ会議端末２からの映像データＤ１１又は当該テレビ会議サーバ３の映像処理部２５からの映像データＤ１２に基づくユーザ映像２７と、新たにカーソル操作が行われたテレビ会議端末２からの映像データＤ１１又は当該テレビ会議サーバ３の映像処理部２５からの映像データＤ１２に基づくユーザ映像２７とを入れ換えた合成映像３２の合成映像データＤ１５を生成し、これを表示処理部３３及び映像圧縮部３４にそれぞれ送出する。これによりこの図６のようなもとの合成映像３２に対して、図７に示すような合成映像３２がテレビ会議サーバ３のディスプレイ３５及び各テレビ会議端末２のディスプレイ４６にそれぞれ表示される。
【００６１】
　他方、状況判断制御部１９は、このように映像合成部２０を制御して合成映像３２内にドキュメント画像３１を表示させたときには、テレビ会議サーバ３のポインティングデバイス２３から供給される操作入力信号Ｓ６と、各テレビ会議端末２から送信される状況判断データＤ１０とに基づいて、ユーザ７がそのドキュメント画像３１上でカーソル操作を行っている時間を監視する。
【００６２】
　そして状況判断制御部１９は、かかるカーソル操作を同一のユーザ７が継続して行っているときには、所定時間（例えば１〜２分程度）ごとに映像合成部２０を制御することにより、当該所定時間ごとにドキュメント画像３１を段階的に順次拡大させた図８のような合成映像３２の合成映像データＤ１５を生成し、これを表示処理部３３及び映像圧縮部３４にそれぞれ送出する。これによりユーザ７のカーソル操作に応じて一定時間ごとにドキュメント画像３１が順次段階的に拡大するような合成映像３２がテレビ会議サーバ３のディスプレイ３５及び各テレビ会議端末２のディスプレイ４６にそれぞれ表示される。
【００６３】
　これに対して状況判断制御部１９は、かかるカーソル操作をいずれのユーザ７も行っていないときには、所定時間（例えば１〜２分程度）ごとに映像合成部２０を制御することにより、当該所定時間ごとにドキュメント画像３１を段階的に順次縮小させた合成映像３２の合成映像データＤ１５を生成し、これを表示処理部３３及び映像圧縮部３４にそれぞれ送出する。これによりテレビ会議端末２又はテレビ会議サーバ３のいずれにおいてもユーザ７のカーソル操作がないときには、一定時間ごとにドキュメント画像３１が順次段階的に縮小し、最終的には図９に示すように、合成映像３２の左端にドキュメント画像３０が縮小されて配置された合成映像３２がテレビ会議サーバ３のディスプレイ３５及び各テレビ会議端末２のディスプレイ４６にそれぞれ表示される。
【００６４】
　このようにして、このテレビ会議システム１では、ユーザ７のドキュメント操作に応じてドキュメント画像３０及びユーザ７のユーザ映像２７を拡大又は縮小するように表示し得るようになされ、これによりユーザ７に余分な操作をさせることなく、ドキュメント操作時等にはドキュメント画像３１及びその操作を行ったユーザ７のユーザ映像２７をメインに捉えさせ得るようになされている。」
　
　ここで、上記記載について検討する。
　
（１）「そしてカメラ部４は、そのテレビ会議端末２を使用するユーザ７（７Ａ、７Ｂ）を撮像し、かくして得られた映像信号Ｓ１を映像処理部８に送出する。また映像処理部８は、供給される映像信号Ｓ１に対して例えばアナログ／ディジタル変換処理等の所定の信号処理を施し、得られた映像データＤ１を映像圧縮部９に送出する。さらに映像圧縮部９は、供給される映像データＤ１に対して、例えば国際電気通信連合ＩＴＵ（International Telecommunication Union）によって標準化されたH.323等の所定規格に従った所定の圧縮方式で圧縮処理を施し、得られた圧縮映像データＤ２をパケタイズ部１０に送出する。」（段落【００２４】）、
「さらにテレビ会議サーバ３には、予めテレビ会議端末２から送信され又は当該テレビ会議サーバ３のユーザ７Ｃにより入力されたドキュメントの画像データが格納されたドキュメント格納部２６が設けられている。そして状況判断制御部１９は、当該テレビ会議サーバ３のポインティングデバイス２３から供給される操作情報信号Ｓ６及び各テレビ会議端末２から送信される状況判断データＤ１０に基づいて、ドキュメント格納部２６に格納されたドキュメントの表示命令が与えられたときには、ドキュメント格納部２６を制御してそのドキュメントのデータを読み出させる。そしてこのドキュメントのドキュメントデータＤ１４が映像合成部２０に与えられる。
　映像合成部２０は、状況判断制御部１９の制御のもとに、これら映像伸張部１７から供給される各テレビ会議端末２からの映像データＤ１１に基づく各ユーザ映像２７（２７Ａ、２７Ｂ）と、映像処理部２６から供給される映像データＤ１２に基づくユーザ映像２７（２７Ｃ）と、状況判断制御部１９から供給されるカーソル画像データＤ１３に基づくカーソル画像２９（２９Ａ〜２９Ｃ）と、ドキュメント格納部２６から供給されるドキュメントデータＤ１４に基づくドキュメント画像３１とを合成した例えば図４に示すような合成映像３２を生成し、その映像データでなる合成映像データＤ１５を表示処理部３３及び映像圧縮部３４に送出する。
　そして表示処理部３３は、この合成映像データＤ１５に対してディジタル／アナログ変換処理等の所定の信号処理を施し、得られた映像信号Ｓ７を例えばＣＲＴ（Cathode-Ray Tube）等でなるディスプレイ３５に送出する。これによりこの映像信号Ｓ７に基づく上述のような合成画像３２がディスプレイ３５に表示される。」（段落【００３５】〜【００３７】）、
「このようにしてこのテレビ会議システム１においては、各テレビ会議端末２のカメラ部４及びテレビ会議サーバ３のカメラ部２１によってそれぞれ撮像された各ユーザ７の各ユーザ映像２７、カーソル画像２９及びドキュメント画像３１を合成してなる合成映像３２を各テレビ会議端末２の各ディスプレイ４６及びテレビ会議サーバ３のディスプレイ３５にそれぞれ表示させると共に、各テレビ会議端末２の各マイクロホン５及びテレビ会議サーバ３のマイクロホン２２によってそれぞれ集音された各ユーザ７の音声を合成してなる合成音声を各テレビ会議端末２の各スピーカ４８及びテレビ会議サーバ３のスピーカ４１からそれぞれ出力させることができるようになされている。」（段落【００５０】）
の記載から、刊行物１のテレビ会議サーバは、テレビ会議端末から送信されたテレビ会議端末で撮像されたユーザ映像とテレビ会議端末から送信され格納され表示命令により表示されるドキュメント画像をディスプレイに表示するものである。
　
（２）「一方、音声伸張部１８は、デパケタイズ部１６から供給される圧縮音声データＤ９に対して対応する復号化方式での復号化処理を施し、得られたベースバンドの音声データＤ１７を音声合成部３７に送出する。
　このとき音声合成部３６には、このテレビ会議サーバ３のマイクロホン２２から出力された音声信号Ｓ８を、音声処理部３８においてアナログ／ディジタル変換等の所定の信号処理を施すことにより得られたベースバンドの音声データＤ１８が与えられる。
　かくして音声合成部３７は、これら音声伸張部１８から供給される各テレビ会議端末２（２Ａ及び２Ｂ）からの音声データＤ１７に基づく各音声と、音声処理部３８から供給される音声データＤ１８に基づく音声とを合成した合成音声を生成し、その音声データでなる合成音声データＤ１９を出力音声処理部３９及び音声圧縮部４０に送出する。
　そして出力音声処理部３９は、この合成音声データＤ１９に対してディジタル／アナログ変換処理等の所定の信号処理を施し、得られた音声信号Ｓ９をスピーカ４１に出力する。これによりこの音声信号Ｓ９に基づく上述のような合成音声がスピーカ４１から出力される。」（段落【００３９】〜【００４２】）の記載から、刊行物１のテレビ会議サーバは、テレビ会議端末からの音声をスピーカから出力するものである。
　
（３）「そして表示処理部３３は、この合成映像データＤ１５に対してディジタル／アナログ変換処理等の所定の信号処理を施し、得られた映像信号Ｓ７を例えばＣＲＴ（Cathode-Ray Tube）等でなるディスプレイ３５に送出する。これによりこの映像信号Ｓ７に基づく上述のような合成画像３２がディスプレイ３５に表示される。」（段落【００３７】）の記載から、刊行物１のテレビ会議サーバは、ディスプレイを有するものである。
　
（４）「さらにポインティングデバイス６は、ユーザ操作の内容を表す操作情報信号Ｓ３を状況判断部１３に送出する一方、状況判断部１３は、この操作情報信号Ｓ３に基づき判断される、現在のカーソルの位置等の状況判断情報を状況判断データＤ５としてパケタイズ部１０に送出する。
　パケタイズ部１０は、映像圧縮部９から供給される圧縮映像データＤ２、音声圧縮部１２から供給される圧縮音声データＤ４及び状況判断部１３から供給される操作データＤ５を所定フォーマットでパケット化し、得られたパケットデータＤ６をネットワーク制御部１４に送出する。
　そしてネットワーク制御部１４は、供給されるパケットデータＤ６に対して中間周波数変調等の所定の変調処理を施し、かくして得られた送信信号Ｓ４をネットワークＮＴを介してテレビ会議サーバ３に送信する。」（段落【００２６】〜【００２８】）、
「またポインティングデバイス２３は、ユーザ操作の内容を表す操作情報信号Ｓ６を状況判断制御部１９に送出する。そして状況判断制御部１９は、この操作情報信号Ｓ６と、各テレビ会議端末２から送信される状況判断データＤ１０とに基づいて、各テレビ会議端末２及びテレビ会議サーバ３にそれぞれ対応させて、そのテレビ会議端末２又はテレビ会議サーバ３の各ポインティングデバイス６及び２３の操作に応動して移動する各カーソルの画像データ（以下、これをカーソル画像データと呼ぶ）Ｄ１３を生成し、これを映像合成部２０に送出する。
　さらにテレビ会議サーバ３には、予めテレビ会議端末２から送信され又は当該テレビ会議サーバ３のユーザ７Ｃにより入力されたドキュメントの画像データが格納されたドキュメント格納部２６が設けられている。そして状況判断制御部１９は、当該テレビ会議サーバ３のポインティングデバイス２３から供給される操作情報信号Ｓ６及び各テレビ会議端末２から送信される状況判断データＤ１０に基づいて、ドキュメント格納部２６に格納されたドキュメントの表示命令が与えられたときには、ドキュメント格納部２６を制御してそのドキュメントのデータを読み出させる。そしてこのドキュメントのドキュメントデータＤ１４が映像合成部２０に与えられる。
　映像合成部２０は、状況判断制御部１９の制御のもとに、これら映像伸張部１７から供給される各テレビ会議端末２からの映像データＤ１１に基づく各ユーザ映像２７（２７Ａ、２７Ｂ）と、映像処理部２６から供給される映像データＤ１２に基づくユーザ映像２７（２７Ｃ）と、状況判断制御部１９から供給されるカーソル画像データＤ１３に基づくカーソル画像２９（２９Ａ〜２９Ｃ）と、ドキュメント格納部２６から供給されるドキュメントデータＤ１４に基づくドキュメント画像３１とを合成した例えば図４に示すような合成映像３２を生成し、その映像データでなる合成映像データＤ１５を表示処理部３３及び映像圧縮部３４に送出する。
　そして表示処理部３３は、この合成映像データＤ１５に対してディジタル／アナログ変換処理等の所定の信号処理を施し、得られた映像信号Ｓ７を例えばＣＲＴ（Cathode-Ray Tube）等でなるディスプレイ３５に送出する。これによりこの映像信号Ｓ７に基づく上述のような合成画像３２がディスプレイ３５に表示される。」（段落【００３４】〜【００３７】）
の記載から、刊行物１のテレビ会議サーバは、テレビ会議端末から送信される現在のカーソルの位置等の状況判断情報である状況判断データに基づいて、テレビ会議端末のポインティングデバイスの操作に応動して移動するカーソル画像データを生成し、ユーザ映像と、カーソル画像と、ドキュメント画像とを合成した合成映像をディスプレイに表示するものである。
　
　したがって、刊行物１には、以下の発明（以下、「刊行物１発明」という。）が記載されている。
　
「テレビ会議端末から送信されたテレビ会議端末で撮像されたユーザ映像とテレビ会議端末から送信され格納され表示命令により表示されるドキュメント画像をディスプレイに表示し、テレビ会議端末からの音声をスピーカから出力するテレビ会議サーバであって、
　ディスプレイ、
を含み、
　テレビ会議端末から送信される現在のカーソルの位置等の状況判断情報である状況判断データに基づいて、テレビ会議端末のポインティングデバイスの操作に応動して移動するカーソル画像データを生成し、ユーザ映像と、カーソル画像と、ドキュメント画像とを合成した合成映像をディスプレイに表示する
ことを特徴とするテレビ会議サーバ。」
　
４．対比
　本願発明と刊行物１発明とを対比する。
　
（ア）「受信した撮影画像、音声を再生する通信端末」
　刊行物１発明は、「テレビ会議端末から送信されたテレビ会議端末で撮像されたユーザ映像とテレビ会議端末から送信され格納され表示命令により表示されるドキュメント画像をディスプレイに表示し、テレビ会議端末からの音声を合成し、スピーカから出力する」するものであり、テレビ会議端末から送信されたテレビ会議端末で撮像されたユーザ映像とテレビ会議端末から送信され格納され表示命令により表示されるドキュメント画像とは、受信側から見ると、受信したテレビ会議端末で撮像されたユーザ映像と格納され表示命令により表示されるドキュメント画像であり、ディスプレイに表示とは、画像データを再生することである。また、テレビ会議端末からの音声とは、受信側から見ると、受信した音声のことであり、スピーカから出力するとは、音声を再生することである。
　そして、刊行物１発明の「テレビ会議端末で撮像されたユーザ映像」は、本願発明の「撮影画像」に一致する。
　しかし、刊行物１発明の「格納され表示命令により表示されるドキュメント画像」は、画像ではあるが、本願発明のように、撮影画像でなく、格納され表示命令により表示されるドキュメント画像である。
　また、刊行物１発明の「テレビ会議サーバ」は、図１〜図３から考えるに、テレビ会議端末と同様の機能を備えたものに、データを格納及び合成する機能を設けたものであるから、「端末」の一種であり、「図１において、１は全体として本実施の形態によるテレビ会議システムを示し、それぞれ異なる地点に設置された複数のテレビ会議端末２（２Ａ、２Ｂ）と、テレビ会議サーバ３とが例えばインターネット回線等のネットワークＮＴを介して相互に接続されることにより構成される。」（段落【００２２】）とあるように、ネットワークを介して接続すなわち通信を行う構成であるから、刊行物１発明の「テレビ会議サーバ」は、本願発明の「通信端末」と一致する。
　そうすると、本願発明の「受信した撮影画像、音声を再生する通信端末」について、本願発明と刊行物１発明は、「受信した画像、音声を再生する通信端末」という点で一致し、
　受信した画像に関して、本願発明は、撮影画像であるのに対し、刊行物１発明では、撮影画像と格納され表示命令により表示されるドキュメント画像である点で相違する。
　
（イ）「制御手段」
　刊行物１発明は、「テレビ会議端末から送信されたテレビ会議端末で撮像されたユーザ映像とテレビ会議端末から送信され格納され表示命令により表示されるドキュメント画像をディスプレイに表示し、テレビ会議端末からの音声をスピーカから出力するテレビ会議サーバ」についての発明であるが、装置が画像を表示するためには、表示のための制御をする制御手段があるのは明らかであることを考えると、刊行物１発明においても、制御手段を有することは明らかであるので、この点は一致する。
　
（ウ）「表示手段」
　刊行物１発明も、ディスプレイを有しているものであり、ディスプレイは表示するためのものであるから、本願発明の「表示手段」は、刊行物１発明の「ディスプレイ」と一致する。
　
（エ）「前記制御手段は、前記撮影画像の一部分に対する指示の情報を受信すると、前記表示手段に、前記撮影画像に加えて当該撮影画像の一部分に対する指示の情報に基づく画像を表示する」
　刊行物１発明は、「テレビ会議端末から送信される現在のカーソルの位置等の状況判断情報である状況判断データに基づいて、テレビ会議端末のポインティングデバイスの操作に応動して移動するカーソル画像データを生成し、ユーザ映像と、カーソル画像と、ドキュメント画像３１とを合成した合成映像をディスプレイに表示する」ものであり、「テレビ会議端末から送信される・・・状況判断データ」ということは、テレビ会議サーバ側からみると、状況判断データを受信することである。
　刊行物１発明の図７をみると、ドキュメント画像の円グラフ上にカーソル画像２９Ａが位置しているものである。カーソル画像２９Ａが円グラフ上に位置するということは、カーソル画像２９Ａは、ドキュメント画像の一部分である円グラフを指し示していると考えるのが通常である。そして、刊行物１発明は、「テレビ会議端末から送信される現在のカーソルの位置等の状況判断情報である状況判断データに基づいて、」カーソル画像データを生成するものである。
　そうすると、刊行物１発明の「テレビ会議端末から送信される現在のカーソルの位置等の状況判断情報である状況判断データ」は、テレビ会議端末から送信される、ドキュメント画像の中の指し示したい位置の情報のことであるから、刊行物１発明の「テレビ会議端末から送信される現在のカーソルの位置等の状況判断情報である状況判断データ」は、本願発明の「前記画像の一部分に対する指示の情報」という点で共通する。
　しかし、「前記画像の一部分に対する指示の情報」の画像に関して、本願発明は、撮影画像であるのに対し、刊行物１発明では、ドキュメント画像すなわち撮影画像ではない格納され表示命令により表示されるドキュメント画像である点で相違する。
　また、刊行物１発明の「状況判断データに基づいて、テレビ会議端末のポインティングデバイスの操作に応動して移動するカーソル画像データを生成」ということは、カーソル画像は、状況判断データに基づく画像であることを意味する。そうすると、刊行物１発明の「カーソル画像」は、本願発明の「当該画像の一部分に対する指示の情報に基づく画像」という点で共通する。そして、刊行物１発明は、カーソル画像と、ドキュメント画像とを合成した合成画像をディスプレイに表示するものであるから、刊行物１発明の「ユーザ映像と、カーソル画像と、ドキュメント画像３１とを合成した合成映像をディスプレイに表示する」は、本願発明の「前記表示手段に、前記画像に加えて当該画像の一部分に対する指示の情報に基づく画像を表示する」という点で共通する。しかし、「前記画像に加えて」、「当該画像の一部分に対する指示の情報」の画像に関して、本願発明は、撮影画像であるのに対し、刊行物１発明では、撮影画像ではない格納され表示命令により表示されるドキュメント画像である点で相違する。
　
　さらに、刊行物１発明において、表示のための制御をする制御手段があるのは明らかであるから、刊行物１発明における「状況判断データに基づいて、テレビ会議端末のポインティングデバイスの操作に応動して移動するカーソル画像データを生成し、ユーザ映像と、カーソル画像と、ドキュメント画像３１とを合成した合成映像をディスプレイに表示する」ための制御が、表示のための制御である以上、前記制御手段が行うことも明らかである。
　
　そうすると、本願発明の「前記制御手段は、前記撮影画像の一部分に対する指示の情報を受信すると、前記表示手段に、前記撮影画像に加えて当該撮影画像の一部分に対する指示の情報に基づく画像を表示する」について、本願発明と刊行物１発明は、「前記制御手段は、前記画像の一部分に対する指示の情報を受信すると、前記表示手段に、前記画像に加えて当該画像の一部分に対する指示の情報に基づく画像を表示する」という点で一致し、
　「前記画像の一部分に対する指示の情報」、「前記画像に加えて」、「当該画像の一部分に対する指示の情報」の「画像」に関して、本願発明は、撮影画像であるのに対し、刊行物１発明では、撮影画像ではない格納され表示命令により表示されるドキュメント画像である点
で相違する。
　
（オ）「通信端末」
　（ア）でも検討したように、本願発明の「通信端末」は、刊行物１発明の「テレビ会議サーバ」に一致する。
　
（カ）（ア）、（エ）における相違点についての整理
　（ア）では、受信した画像に関して、本願発明は、撮影画像であるのに対し、刊行物１発明では、撮影画像と格納され表示命令により表示されるドキュメント画像である点で相違するとし、（エ）では、「前記画像の一部分に対する指示の情報」、「前記画像に加えて」、「当該画像の一部分に対する指示の情報」の「画像」に関して、本願発明は、撮影画像であるのに対し、刊行物１発明では、撮影画像ではない格納され表示命令により表示されるドキュメント画像である点で相違するとした。
　ここで、（エ）における「前記画像の一部分に対する指示の情報」、「前記画像に加えて」、「当該画像の一部分に対する指示の情報」の「画像」は、「前記」、「当該」という記載から、いずれも（ア）における「受信した画像」の「画像」を示すものであり、本願発明は、（ア）、（エ）とも、撮影画像を指すのに対し、刊行物１発明は、（ア）における「受信した画像」の「画像」は、撮影画像と格納され表示命令により表示されるドキュメント画像であり、（エ）における「前記画像」「当該画像」は、撮影画像ではない格納され表示命令により表示されるドキュメント画像である。
　したがって、これらの相違点をまとめると、
　
　受信した画像が、
　本願発明は、撮影画像であるのに対し、
　刊行物１発明では、撮影画像と格納され表示命令により表示されるドキュメント画像であり、
「前記画像の一部分に対する指示の情報を受信すると、前記表示手段に、前記画像に加えて当該画像の一部分に対する指示の情報に基づく画像を表示する」における「前記画像」「当該画像」が、
　本願発明は、撮影画像であるのに対し、
　刊行物１発明では、受信した画像のうち、撮影画像ではない、格納され表示命令により表示されるドキュメント画像である点
　
で相違する。
　
５．一致点、相違点
　以上、（ア）〜（カ）によると、本願発明と刊行物１発明との一致点、相違点は次のとおりである。
　
［一致点］
　受信した画像、音声を再生する通信端末であって、
　制御手段と、
　表示手段と、
　を含み、
　前記制御手段は、前記画像の一部分に対する指示の情報を受信すると、前記表示手段に、前記画像に加えて当該画像の一部分に対する指示の情報に基づく画像を表示する
ことを特徴とする通信端末。
　
［相違点］
　受信した画像が、
　本願発明は、撮影画像であるのに対し、
　刊行物１発明では、撮影画像と格納され表示命令により表示されるドキュメント画像であり、
「前記画像の一部分に対する指示の情報を受信すると、前記表示手段に、前記画像に加えて当該画像の一部分に対する指示の情報に基づく画像を表示する」における「前記画像」「当該画像」が、
　本願発明は、撮影画像であるのに対し、
　刊行物１発明では、受信した画像のうち、撮影画像ではない、格納され表示命令により表示されるドキュメント画像である点
で相違する。
　
６．相違点の検討、判断
　刊行物１発明においては、撮影画像と格納され表示命令により表示されるドキュメント画像を受信し、前記ドキュメント画像の一部分に対する指示の情報を受信すると、前記表示手段に、前記ドキュメント画像に加えて当該ドキュメント画像の一部分に対する指示の情報に基づく画像を表示するものである。テレビ会議において、あるユーザが所有する電子化されていない書面を検討するために、他のユーザに見せる必要が生じた場合、例えば、書画カメラによって書面を撮影し、撮影された画像を受信することは、良く行われていることを考えると、刊行物１発明における格納され表示命令により表示されるドキュメント画像を撮影画像とすることは、容易に考え得るものである。
　
　また、本願発明の効果は、刊行物１発明から当業者が容易に予測し得るものであり、格別顕著なものがあるとは認められない。
　
　したがって、本願発明は、刊行物１に記載された発明に基づいて、当業者が容易に発明をすることができたものであるから、特許法第２９条第２項の規定により特許を受けることができない。
　
７．まとめ
　以上のとおり、本願の請求項１に係る発明は、刊行物１に記載された発明に基づいて、当業者が容易に発明をすることができたものであるから、特許法第２９条第２項の規定により特許を受けることができない。
　したがって、残る請求項２〜２３に係る発明について検討するまでもなく、本件出願は拒絶をすべきものである。
　
　よって、結論のとおり審決する。